(57)【要約】【課題】  ユーザの操作入力により、現在時刻を時間メモとして登録し、時間メモとその経過時間を表示する機能を有し、利便性の良い時間メモ表示機能付携帯端末を提供する。【解決手段】  携帯電話機は、各種機能を実現するための各部を制御する制御部１を備える。制御部１は、表示制御手段１ａ、時間メモ登録部１ｂ、及び時間メモ消去部１ｃを有する。ユーザがメニュー画面から時間メモ機能を選択又は指定すると、表示制御手段１ａは、メモリ１０上に時間メモが無い場合にはユーザの操作入力により時間メモ登録部１ｂが時計部９の時刻を時間メモとしてメモリ１０に登録し、タイマ１１を起動する。表示制御手段１ａは、この時間メモを読み出し、タイマ１１の経過時間を取得して表示部２に表示する。この時間メモと経過時間は、不要になればユーザの操作入力により時間メモ消去部１ｃによりクリア又はリセットすることが可能となっている。【選択図】  図１
2006010536.tif 000002
【特許請求の範囲】
【請求項１】
操作入力により現在の時刻を時間メモとしてメモリに登録する機能を有する時間メモ登録手段と、前記登録した時間メモからの経過時間を算出する機能を有する経過時間算出手段と、操作入力により前記登録した時間メモ及び前記時間メモからの経過時間を前記経過時間算出手段から取得して表示部に表示する機能を有する表示制御手段とを備えることを特徴とする時間メモ表示機能付携帯端末。
【請求項２】
前記登録されている及び表示されている時間メモと前記経過時間を操作入力により消去する機能を有する時間メモ消去手段を備えることを特徴とする請求項１記載の時間メモ表示機能付携帯端末。
【請求項３】
前記時間メモ登録手段が、時間メモを複数登録する機能を有し、前記経過時間算出手段が、前記登録した時間メモ毎に経過時間を算出する機能を有することを特徴とする請求項１記載の時間メモ表示機能付携帯端末。
【請求項４】
前記登録されている及び表示されている時間メモと前記時間メモに対応する前記経過時間の組の単数又は全数を操作入力により選択して消去する機能を有する時間メモ消去手段を備えることを特徴とする請求項３記載の時間メモ表示機能付携帯端末。
【請求項５】
前記経過時間算出手段が、時間メモを登録した時点で前記時間メモ登録手段により起動されるタイマであることを特徴とする請求項１乃至４のいずれか１に記載の時間メモ表示機能付携帯端末。
【請求項６】
前記経過時間算出手段が、前記表示制御手段からの取得要求に応じて前記時間メモと現在の時刻との差分から経過時間を算出するものであることを特徴とする請求項１乃至４のいずれか１に記載の時間メモ表示機能付携帯端末。
【請求項７】
前記時間メモ登録手段が、操作入力により時間メモに対応させて記号又はメッセージを登録する機能を有し、前記表示制御手段が、時間メモ及び経過時間に加えて前記時間メモに対応する記号又はメッセージを表示する機能を有することを特徴とする請求項１乃至６のいずれか１に記載の時間メモ表示機能付携帯端末。
【請求項８】
前記時間メモ登録手段が、操作入力により選択した発信履歴又は着信履歴を前記記号又はメッセージの一部又は全部とするものであることを特徴とする請求項７記載の時間メモ表示機能付携帯端末。
【請求項９】
前記時間メモ消去手段が、前記時間メモと共に前記時間メモに対応させて登録されている及び表示されている記号又はメッセージを消去する機能を有することを特徴とする請求項７又は８記載の時間メモ表示機能付携帯端末。
【請求項１０】
時間メモ表示機能付携帯端末に内蔵するコンピュータに、操作入力により現在の時刻を時間メモとしてメモリに登録する時間メモ登録機能と、前記登録した時間メモからの経過時間を算出する経過時間算出機能と、操作入力により前記登録した時間メモ及び前記算出した時間メモからの経過時間を表示部に表示する表示制御機能とを、実現させるためのプログラム。
【請求項１１】
時間メモ表示機能付携帯端末に内蔵するコンピュータに、前記登録されている及び表示されている時間メモと前記経過時間を操作入力により消去する機能を実現させるためのプログラムを加えたことを特徴とする請求項１０記載のプログラム。
【請求項１２】
前記時間メモ登録機能が、時間メモを複数登録する機能を有し、前記経過時間算出機能が、前記登録した時間メモ毎に経過時間を算出する機能を有することを特徴とする請求項１０記載のプログラム。
【請求項１３】
時間メモ表示機能付携帯端末に内蔵するコンピュータに、前記登録されている及び表示されている時間メモと前記時間メモに対応する前記経過時間の組の単数又は全数を操作入力により選択して消去する機能を実現させるためのプログラムを加えたことを特徴とする請求項１２記載のプログラム。
【請求項１４】
前記経過時間算出機能が、時間メモを登録した時点で前記時間メモ登録機能により起動されるタイマ機能であることを特徴とする請求項１０乃至１３のいずれか１に記載のプログラム。
【請求項１５】
前記経過時間算出機能が、前記表示制御機能からの取得要求に応じて前記時間メモと現在の時刻との差分から経過時間を算出する機能であることを特徴とする請求項１０乃至１３のいずれか１に記載のプログラム。
【請求項１６】
前記時間メモ登録機能が、操作入力により時間メモに対応させて記号又はメッセージを登録する機能を有し、前記表示制御機能が、時間メモ及び経過時間に加えて前記時間メモに対応する記号又はメッセージを表示する機能を有することを特徴とする請求項１０乃至１５のいずれか１に記載のプログラム。
【請求項１７】
前記時間メモ登録機能が、操作入力により選択した発信履歴又は着信履歴を前記記号又はメッセージの一部又は全部とする機能を有することを特徴とする請求項１６記載のプログラム。
【請求項１８】
前記時間メモ消去機能が、前記時間メモと共に前記時間メモに対応させて登録されている及び表示されている記号又はメッセージを消去する機能を有することを特徴とする請求項１６又は１７記載のプログラム。
【発明の詳細な説明】
【技術分野】
【０００１】
この発明は、携帯電話機やＰＨＳ端末、携帯情報端末等において利便性を高めた時間メモ表示機能付携帯端末及びプログラムに係り、詳しくは、操作入力により現在の時刻を時間メモとして保持すると共に、操作入力により前記保持した時間メモとこの時間メモからの経過時間をユーザに通知する機能を有し、時間管理において利便性を高めた時間メモ表示機能付携帯端末及びプログラムに関する。
【背景技術】
【０００２】
現在の携帯電話機やＰＨＳ端末にはテキストのメモ機能やスケジュール機能がついており、ユーザの意志で文字やスケジュール等の決まった時刻の記録が可能となっている。スケジュール機能としては、記録した時刻になったときにアラーム通知をする機能を備えている場合もある。また、時刻の経過を通知する例としては、長電話を防止するために、通話時間をタイマで測定し、ＬＥＤや合成音声で通話時間を通知したりする技術がある（例えば、特許文献１，３参照）。さらに、１コール後の回線切断（所謂、「ワン切り」）等の迷惑電話の着信履歴を削除するために、着信コール時間をタイマで監視して日時、発信先電話番号等の着信履歴を表示し、ボタン操作により当該着信時間が閾値よりも短い場合には当該着信履歴を削除する技術が開示されている（特許文献２参照）。
【特許文献１】特開２００２−１９９１３５号公報
【特許文献２】特開２００４−０４０４５３号公報
【特許文献３】特開平１０−１７４１６６公号報
【発明の開示】
【発明が解決しようとする課題】
【０００３】
しかしながら、上述した従来技術によるテキストのメモ機能やスケジュール機能には、現在の時刻をメモとして記録し、この時刻からの時間経過を確認したり、この時刻及び時間経過が不要になった場合に消去したりすることが出来ず、利便性の点で改善すべき問題点があった。
【０００４】
この発明は、上述の事情に鑑みてなされたものであって、操作入力により現在の時刻を時間メモとして保持すると共に、操作入力により前記保持した時間メモとこの時間メモからの経過時間をユーザに通知する機能を有し、時間管理において利便性の良い時間メモ表示機能付携帯端末及びプログラムを提供することを目的としている。
【課題を解決するための手段】
【０００５】
上述の課題を解決するため、請求項１記載の発明は、操作入力により現在の時刻を時間メモとしてメモリに登録する機能を有する時間メモ登録手段と、前記登録した時間メモからの経過時間を算出する機能を有する経過時間算出手段と、操作入力により前記登録した時間メモ及び前記時間メモからの経過時間を前記経過時間算出手段から取得して表示部に表示する機能を有する表示制御手段を備えることを特徴とする時間メモ表示機能付携帯端末である。
【０００６】
また、請求項２記載の発明は、請求項１記載の時間メモ表示機能付携帯端末に係り、前記登録されている及び表示されている時間メモと前記経過時間を操作入力により消去する機能を有する時間メモ消去手段を備えることを特徴としている。
【０００７】
また、請求項３記載の発明は、請求項１記載の時間メモ表示機能付携帯端末に係り、前記時間メモ登録手段が、時間メモを複数登録する機能を有し、前記経過時間算出手段が、前記登録した時間メモ毎に経過時間を算出する機能を有することを特徴としている。
【０００８】
また、請求項４記載の発明は、請求項３記載の時間メモ表示機能付携帯端末に係り、前記登録されている及び表示されている時間メモと前記時間メモに対応する前記経過時間の組の単数又は全数を操作入力により選択して消去する機能を有する時間メモ消去手段を備えることを特徴としている。
【０００９】
また、請求項５記載の発明は、請求項１乃至４のいずれか１に記載の時間メモ表示機能付携帯端末に係り、前記経過時間算出手段が、時間メモを登録した時点で前記時間メモ登録手段により起動されるタイマであることを特徴としている。
【００１０】
また、請求項６記載の発明は、請求項１乃至４のいずれか１に記載の時間メモ表示機能付携帯端末に係り、前記経過時間算出手段が、前記表示制御手段からの取得要求に応じて前記時間メモと現在の時刻との差分から経過時間を算出するものであることを特徴としている。
【００１１】
また、請求項７記載の発明は、請求項１乃至６のいずれか１に記載の時間メモ表示機能付携帯端末に係り、前記時間メモ登録手段が、操作入力により時間メモに対応させて記号又はメッセージを登録する機能を有し、前記表示制御手段が、時間メモ及び経過時間に加えて前記時間メモに対応する記号又はメッセージを表示する機能を有することを特徴としている。
【００１２】
また、請求項８記載の発明は、請求項７記載の時間メモ表示機能付携帯端末に係り、前記時間メモ登録手段が、操作入力により選択した発信履歴又は着信履歴を前記記号又はメッセージの一部又は全部とするものであることを特徴としている。
【００１３】
また、請求項９記載の発明は、請求項７又は８記載の時間メモ表示機能付携帯端末に係り、前記時間メモ消去手段が、前記時間メモと共に前記時間メモに対応させて登録されている及び表示されている記号又はメッセージを消去する機能を有することを特徴としている。
【００１４】
また、請求項１０記載の発明は、時間メモ表示機能付携帯端末に内蔵するコンピュータに、操作入力により現在の時刻を時間メモとしてメモリに登録する時間メモ登録機能と、前記登録した時間メモからの経過時間を算出する経過時間算出機能と、操作入力により前記登録した時間メモ及び前記算出した時間メモからの経過時間を表示部に表示する表示制御機能と、を実現させるためのプログラムである。
【００１５】
また、請求項１１記載の発明は、請求項１０記載のプログラムに係り、時間メモ表示機能付携帯端末に内蔵するコンピュータに、前記登録されている及び表示されている時間メモと前記経過時間を操作入力により消去する機能を実現させるためのプログラムを加えたことを特徴としている。
【００１６】
また、請求項１２記載の発明は、請求項１０記載のプログラムに係り、前記時間メモ登録機能が、時間メモを複数登録する機能を有し、前記経過時間算出機能が、前記登録した時間メモ毎に経過時間を算出する機能を有することを特徴としている。
【００１７】
また、請求項１３記載の発明は、請求項１２記載のプログラムに係り、時間メモ表示機能付携帯端末に内蔵するコンピュータに、前記登録されている及び表示されている時間メモと前記時間メモに対応する前記経過時間の組の単数又は全数を操作入力により選択して消去する機能を実現させるためのプログラムを加えたことを特徴としている
【００１８】
また、請求項１４記載の発明は、請求項１０乃至１３のいずれか１に記載のプログラムに係り、前記経過時間算出機能が、時間メモを登録した時点で前記時間メモ登録機能により起動されるタイマ機能であることを特徴としている。
【００１９】
また、請求項１５記載の発明は、請求項１０乃至１３のいずれか１に記載のプログラムに係り、前記経過時間算出機能が、前記表示制御機能からの要求に応じて前記時間メモと現在の時刻との差分から経過時間を算出する機能であることを特徴としている。
【００２０】
また、請求項１６記載の発明は、請求項１０乃至１５のいずれか１に記載のプログラムに係り、前記時間メモ登録機能が、操作入力により時間メモに対応させて記号又はメッセージを登録する機能を有し、前記表示制御機能が、時間メモ及び経過時間に加えて前記時間メモに対応する記号又はメッセージを表示する機能を有することを特徴としている。
【００２１】
また、請求項１７記載の発明は、請求項１６記載のプログラムに係り、前記時間メモ登録機能が、操作入力により選択した発信履歴又は着信履歴を前記記号又はメッセージの一部又は全部とする機能を有することを特徴としている。
【００２２】
また、請求項１８記載の発明は、請求項１６又は１７記載のプログラムに係り、前記時間メモ消去機能が、前記時間メモと共に前記時間メモに対応させて登録されている及び表示されている記号又はメッセージを消去する機能を有することを特徴としている。
【発明の効果】
【００２３】
以上説明したように、この発明の構成によれば、メモした時刻と共に、この時刻からの経過時間をユーザに通知したり、不要になればこれらを消去したりすることができるため、ある時刻からの経過時間を参酌して行動する場合、例えば、仕事の進捗状況を管理しながら仕事をしたり、電話等により時間を要する物事を依頼した場合に催促や確認をしたり、電話等により相手から時間を要する物事の依頼を受けた場合に進捗や完了の返事をしたりする場合等において、利便性が向上する。
【発明を実施するための最良の形態】
【００２４】
この発明は、時間管理の点で携帯端末の利便性を高めるという目的を、ユーザの操作入力により現在の時刻をメモする機能と、この時間メモから現在までの経過時間を通知する機能と、ユーザの操作入力により時間メモと現在までの経過時間を消去する機能とを設けることで実現した。
以下、図面を参照して、この発明の実施の形態について説明する。説明は、実施例を用いて具体的に行う。
【実施例１】
【００２５】
図１は、この発明の第１の実施例である携帯電話機の電気的構成を示すブロック図である。携帯電話機は、携帯電話機の各種の機能を実現するための各部を制御する制御部１を備えている。制御部１は、図示しないインタフェイス回路或いは駆動回路を介して、液晶ディスプレイ（ＬＣＤ）等による表示部２、キー操作部３、通話を行うためのマイクロフォン４とスピーカ５、アンテナ部６を備え無線の送受信を行う無線変調部７、及び着信等の報知を行う報知スピーカ８に接続されている。更に、制御部１は、この発明の要部を構成する表示制御手段１ａ、時間メモ登録手段１ｂ、及び時間メモ消去手段１ｃを有し、図示しないインタフェイス回路を介して、表示制御手段１ａはメニュー画面、時間メモ及び経過時間等を表示する表示部２に、時間メモ登録手段１ｂは現在の時刻を出力する時計部９、時間メモを記憶するメモリ１０、及び経過時間を算出するタイマ１１に、時間メモ消去手段１ｃは消去対象の表示制御手段１ａ、メモリ１０及びタイマ１１に、それぞれ接続されている。
【００２６】
次に、この実施例の動作の一例を説明する。図２はこの動作を示すフローチャートであり、図３はメニュー画面等の表示例である。図２中のＳ１〜Ｓ１２は処理のステップを表し、○印Ａ同士は処理の流れが続くことを表している（以下、同じ）。始めに、表示制御手段１ａが表示部２にメニュー画面を表示し、ユーザがこのメニュー画面から時間メモ機能を選択又は指定したとする。このとき、表示制御手段１ａは、メモリ１０を参照し、このメモリ１０上に時間メモ（図中では登録時間と記している）が登録されているか否かを判定し（Ｓ１）、登録されていない場合には時間メモがない旨のメッセージを表示し、ユーザに時間メモが可能であることを知らせる（Ｓ２）。ここで、ユーザがキー操作部３の決定キーを押下して登録を指示すると（Ｓ３）、時間メモ登録手段１ｂが時計部９からその時点の時刻を時間メモとしてメモリ１０に登録し（Ｓ４）、タイマ１１を起動して（Ｓ５）、ステップＳ１に戻る。これによりタイマ１１は時間メモからの経過時間をカウントする。ステップＳ３において決定キーが押下されない場合であって、メニュー画面の終了の選択又は指定による終了の指示がなされた場合には、時間メモ機能を終了して待機画面に復帰し、終了の指示がない場合にはステップＳ３に戻り、決定キーの押下等による登録の指示又は終了の指示を待つ（Ｓ６）。
【００２７】
ユーザがメニュー画面より時間メモ機能を選択又は指定した際、又は上述のステップＳ５から戻った際のステップＳ１において、メモリ１０に時間メモが登録されて保存されている場合には、保存されている時間メモを表示し（Ｓ７）、更にタイマ１１から経過時間を取得し（Ｓ８）、取得した経過時間を時間メモと共に表示する（Ｓ９）。また、ユーザの操作入力により時間メモと経過時間を時間メモ消去手段１ｃにより消去する機能を設け、メニュー画面から時間メモの消去を選択又は指定することにより（Ｓ１０）、ユーザの意志で、メモリ１０の時間メモをクリアし、タイマ１１をリセットし、表示制御手段１ａによるこれらのメモ時間及び経過時間の表示をクリアすることができる。時間メモと経過時間を消去した後はステップＳ１に戻り、ステップＳ２〜Ｓ６を実行することになる。ステップＳ１０において時間メモと経過時間の消去が選択又は指定されない場合であって、例えばメニュー画面の終了の選択又は指定、又はキー操作部３の終了キーの押下等による終了の指示がなされた場合には、時間メモ機能を終了して待機画面に復帰し、終了の指示がない場合にはステップＳ１に戻ってＳ７〜Ｓ１０を実行し、経過時間を更新すると共に、時間メモと経過時間の消去の指示又は終了の指示を待つ（Ｓ１２）。
【実施例２】
【００２８】
図４は、この発明の第２の実施例である携帯電話機の電気的構成を示すブロック図である。この実施例の携帯電話機の電気的構成が第１の実施例と異なる主な処は、タイマが省略され、代わりに制御部１に経過時間算出手段１ｄを備えることである。経過時間算出手段１ｄは、表示制御手段１ａからの経過時間の取得要求により時間メモと時計部９の現在時刻との差分から経過時間を算出して表示制御手段１ａに出力する。表示制御手段１ａは、時間メモと共に、この取得した経過時間を表示部２に表示する。これ以外の携帯電話機の電気的構成は第１の実施例と同様なので、図１と同一の符号を用いることで、その説明は省略する。
【００２９】
図５は、この実施例の動作の一例を示すフローチャートである。メニュー画面等の表示例は図３と同様である。図５中のＳ１〜Ｓ１２は処理のステップを表している。この実施例の携帯電話機の動作例が第１の実施例と異なる主な処理は、図２のタイマの起動ステップＳ５が無く、ステップＳ８に代えて、経過時間算出手段１ｄが、表示制御手段１ａからの経過時間の取得要求により時間メモと時計部９の現在時刻との差分から経過時間を算出するステップＳ８ａを有することである。表示制御手段１ａは、時間メモと共に経過時間を表示部２に表示する（Ｓ９）。これ以外の携帯電話機の動作は第１の実施例と同様なので、図５において、図２と同一符号のステップを用いることで、その説明は省略する。
【実施例３】
【００３０】
この発明の第３の実施例を説明する。この実施例の電気的構成は、第１、第２の実施例と基本的には同様であるが、時間メモ登録手段１ｂがユーザによるキー操作部３からの操作入力により記号又はメッセージを時間メモに付加する形式でメモリ１０に登録する機能を有し、表示制御手段１ａが時間メモ及び経過時間と共に前記登録された記号又はメッセージを表示部２に表示する機能を有し、時間メモ消去手段１ｃが時間メモ及び経過時間と共に前記登録された記号又はメッセージを消去する機能を有することである。
【００３１】
図６は、この実施例の動作の一例を示すフローチャートであり、図７はメニュー画面等の表示例である。ただし、図６のフローチャートは図２の第１の実施例を基にしているが、第２の実施例への適用についても同様である。図中のＳ１〜Ｓ１４は処理のステップを表している。この実施例の動作が第１、第２の実施例と異なる主な処理は、経過時間の表示（Ｓ９）と消去選択の判断処理（Ｓ１０）の間に記号又はメッセージ入力選択の判断処理（Ｓ１３）を挿入し、記号又はメッセージ入力を選択又は指定した場合には、ユーザの操作入力により時間メモに対応する記号又はメッセージを表示しながら時間メモに対応するメモリ１０のエリアに保存することである（Ｓ１４）。ステップＳ７においては時間メモの表示と共に、記号又はメッセージが登録されている場合には、この記号又はメッセージを表示する。また、ステップＳ１１においては時間メモの消去と共に、記号又はメッセージが登録されている場合には、この記号又はメッセージも消去する。これ以外の携帯電話機の動作は第１、第２の実施例と同様なので、図６において、図２と同一符号のステップを用いることで、その説明は省略する。この実施例によれば、時間メモに付加された記号又はメッセージにより、時間メモが何を表しているかイメージがつかみやすくなると考えられる。
【００３２】
この実施例の変形例としては、Ｓ１３の記号又はメッセージ入力選択又は指定において、発信履歴付加や着信履歴付加の選択又は指定を加えて、ユーザの操作入力により発信履歴付加や着信履歴付加を選択又は指定した場合には、更にユーザの操作入力により選択又は指定した複数の発信履歴や着信履歴の一つをメッセージの一部又は全部として登録、表示する例が考えられる。これによれば、発信後の相手に対し依頼等に対する返事の催促や確認をする場合、或いは着信後の相手からの依頼等に対して返事をする場合等において、時間管理ができるようになり利便性が向上する。
【実施例４】
【００３３】
この発明の第４の実施例を説明する。この実施例の電気的構成は、第１〜第３の実施例と基本的には同様であるが、時間メモ登録手段１ｂが時間メモやこれに対応する記号又はメッセージの組を複数登録できる機能を有し、メモリ１０上に登録された時間メモ、経過時間、及び記号又はメッセージが有る場合には、表示制御手段１ａが、ユーザの操作入力により選択又は指定したこの時間メモ、経過時間、及び記号又はメッセージの組を表示部２に表示する機能を有し、時間メモ消去手段１ｃがユーザの操作入力により選択又は指定した時間メモ及び経過時間と共に前記登録された記号又はメッセージの組或いはそれら組の全数を消去する機能を有することである。
【００３４】
図８は、この実施例の動作の一例を示すフローチャートであり、図９はメニュー画面等の表示例である。ただし、図８のフローチャートは第１の実施例の図２を基にしているが、第２、第３の実施例への適用についても同様である。図中のＳ１〜Ｓ１５は処理のステップを表している。この実施例の動作が第１〜３の実施例と異なる主な処理は、ステップＳ１の直前に新規登録の判断処理（Ｓ１５）を挿入し、新規登録が選択又は指定された場合にはメモリ１０に時間メモが保存されていない場合と同様にステップＳ２〜Ｓ６の処理を行うと共に、終了判断（Ｓ１２）の直前に表示歩進又は戻しの指示の判断処理（Ｓ１６）を挿入し、ユーザの操作入力により表示歩進又は戻しの指示がなされた場合には、表示制御手段１ａがメモリ１０上の表示エリアを歩進し又は戻して（Ｓ１７）、ステップ７において当該エリアの時間メモ、及び記号又はメッセージが保存されている場合にはこの記号又はメッセージの組を表示部２に表示することである。なお、ステップＳ７においては、ステップＳ２〜Ｓ６の処理に続く処理であれば、ステップＳ４で登録した時間メモの組を表示し、開始からの始めの表示処理であれば例えば先頭の（最も古い）時間メモの組を表示し、以降はステップＳ１７で設定したメモリ１０のエリアの時間メモの組を表示する。また、ステップＳ１１においては、時間メモ消去手段１ｃがユーザの操作入力により選択又は指定した時間メモ及び経過時間と共に前記登録された記号又はメッセージの組或いはそれら組の全数を消去する。
【実施例５】
【００３５】
図１０は、この発明の第５の実施例である携帯電話機の電気的構成を示すブロック図である。ただし、図１０のブロック図は図１を基にしているが、第２、第３及び第４の実施例への適用についても同様である。この携帯電話機は、制御部１にプロセッサ（コンピュータ）１ｅとプログラムメモリ部１ｆを備え、第１〜第４の各実施例で説明した各種の機能又は処理をコンピュータのプログラムとして構成してプログラムメモリ部１ｆに格納し、このプログラムをプロセッサ１ｅに実行させる。即ち、携帯電話機の各種の機能を果たすためのプログラム、及び図１、図４で示した第１〜第４の実施例における１ａ〜１ｄの各部の機能をコンピュータに実現させるためのプログラム、或いは図２、図５、図６、及び図８で説明した第１〜第４の実施例における制御部１で実行する処理のステップをコンピュータに実行させるためのプログラムをプロセッサ１ｅに実行させる。なお、タイマや時計部の機能もコンピュータプログラムによりプロセッサ１ｅに実現させることも可能である。
【００３６】
これらのプログラムを、プロセッサ１ｅが読み取り可能な記録媒体、例えば、フレキシブルディスクや、ＭＯ、ＲＯＭ、メモリカード、ＣＤ、ＤＶＤ、リムーバブルディスク等に記録して、保存したり、配布したりすることが可能である。また、上述のプログラムをインターネットや電子メール等のように通信ネットワークを通して提供することも可能である。このように、記録媒体や通信ネットワークを通して提供されたプログラムをプロセッサ１ｅにインストールするなどしてプログラムメモリ部１ｆに格納することにより、この発明が実施可能となる。
【００３７】
以上、この発明の実施例を図面により詳述してきたが、具体的な構成はこの実施例に限られるものではなく、この発明の要旨を逸脱しない範囲の設計の変更等があってもこの発明に含まれる。例えば、上述の各実施例における表示例は一例であり、文言やレイアウト等は、図例に限られるものではない。また、現在の時刻には日時を含ませたり、経過時間には日数を含ませたりしても良い。
【産業上の利用可能性】
【００３８】
この発明の装置は、携帯電話機に限らず、ＰＨＳ端末、及びＰＤＡ等の携帯情報端末等の携帯端末に、広く適用することができる。
【図面の簡単な説明】
【００３９】
【図１】この発明の第１の実施例である携帯電話機の電気的構成を示すブロック図である。
【図２】同携帯電話機の動作の一例を示すフローチャートである。
【図３】同携帯電話機の表示例を示す図である。
【図４】この発明の第２の実施例である携帯電話機の電気的構成を示すブロック図である。
【図５】同携帯電話機の動作の一例を示すフローチャートである。
【図６】この発明の第３の実施例である携帯電話機の動作の一例を示すフローチャートである。
【図７】同携帯電話機の表示例を示す図である。
【図８】この発明の第４の実施例である携帯電話機の動作の一例を示すフローチャートである。
【図９】同携帯電話機の表示例を示す図である。
【図１０】この発明の第５の実施例である携帯電話機の電気的構成を示すブロック図である。
【符号の説明】
【００４０】
１  制御部
１ａ  表示制御手段
１ｂ  時間メモ登録手段
１ｃ  時間メモ消去手段
１ｄ  経過時間算出手段
１ｅ  プロセッサ（コンピュータ）
１ｆ  プログラムメモリ部
２  表示部
３  キー操作部
９  時計部
１０  メモリ
１１  タイマ
【図１】
2006010536.tif 000003
【図２】
2006010536.tif 000004
【図３】
2006010536.tif 000005
【図４】
2006010536.tif 000006
【図５】
2006010536.tif 000007
【図６】
2006010536.tif 000008
【図７】
2006010536.tif 000009
【図８】
2006010536.tif 000010
【図９】
2006010536.tif 000011
【図１０】
2006010536.tif 000012